(57)【要約】本発明は、標本面（４）の標本領域における標本キャリア（７）上に配置された標本（５）を照明光路を介して照明するための照明対物レンズ（２）を有する照明光学ユニットを備える顕微鏡検査のための装置（１）に関する。照明対物レンズ（２）の光軸（Ａ１）は、標本面（４）の法線に対してゼロとは異なる照明角度（α１）を含む平面内にあり、平面に関して標本キャリア（７）は整列されており、照明は平面内で実施される。さらに、検出対物レンズ（３）を有する検出光学ユニットが検出光路内に設けられ、検出光学ユニットの光軸（Ａ２）は、標本面（４）の法線に対してゼロとは異なる検出角度（α２）を含む。照明対物レンズ（２）および／または検出対物レンズ（３）は、ビーム経路内に配置された照明補正素子（２ＫＥ）および／または検出補正素子（３ＫＥ）を含む。本発明によれば、標本キャリア（７）と対物レンズ（２、３）との間にメニスカスレンズ（１０）が設けられ、メニスカスレンズは照明ビーム経路と検出ビーム経路の両方に配置され、収差を補正するように構成されている。照明補正素子（２ＫＥ）および／または検出補正素子（３ＫＥ）は、残りの収差を補正するように構成されている。
2019521385.tif 000002
【特許請求の範囲】
【請求項１】
顕微鏡検査のための装置（１）であって、
標本面（４）の標本領域における標本キャリア（７）上に配置された標本（５）を照明光路を介して照明するための照明対物レンズ（２）を有する照明光学ユニットと、
ここで、前記照明対物レンズ（２）の光軸（Ａ１）は、前記標本面（４）の法線に対してゼロとは異なる照明角度（α１）を含む平面内にあり、該平面に関して標本キャリア（７）は整列されており、照明は前記平面内で実施され、
検出光路内に検出対物レンズ（３）を有する検出光学ユニットと、ここで、該検出光学ユニットの光軸（Ａ２）は、前記標本面（４）の法線に対してゼロとは異なる検出角度（α２）を含み、
前記照明対物レンズ（２）は、ビーム経路内に配置されるか、または該ビーム経路内に導入可能である照明補正素子（２ＫＥ）を含み、かつ／または
前記検出対物レンズ（３）は、ビーム経路内に配置されるか、または該ビーム経路内に導入可能である検出補正素子（３ＫＥ）を含む、装置（１）において、
前記標本キャリア（７）と対物レンズ（２、３）との間にメニスカスレンズ（１０）が設けられ、該メニスカスレンズは照明ビーム経路と検出ビーム経路の両方に配置されており、
前記メニスカスレンズ（１０）は、検出されるべき放射および／または標本を照明するための放射が異なる屈折率を有する媒体を通過することによって生じる収差を補正するように構成されており、
前記照明補正素子（２ＫＥ）および／または前記検出補正素子（３ＫＥ）は、残りの収差を補正するように構成されていることを特徴とする装置（１）。
【請求項２】
前記照明補正素子（２ＫＥ）および／または前記検出補正素子（３ＫＥ）は、前記照明対物レンズ（２）および／または前記検出対物レンズ（３）の瞳内に配置されることを特徴とする請求項１に記載の装置（１）。
【請求項３】
照明目的のために使用される放射は、光シート（６）に成形され、かつ前記標本領域に向けられ、前記照明対物レンズ（２）の光軸（Ａ１）および前記光シート（６）は、前記標本面（４）の法線とゼロとは異なる照明角度（α１）を含む平面内にあることを特徴とする請求項１または２に記載の装置（１）。
【請求項４】
前記照明補正素子（２ＫＥ）および／または前記検出補正素子（３ＫＥ）は、少なくとも１つの位相板または自由曲面レンズであることを特徴とする請求項１乃至３のいずれか一項に記載の装置（１）。
【請求項５】
前記照明補正素子（２ＫＥ）および／または前記検出補正素子（３ＫＥ）は、静的収差を補正するための位相板であり、アダプティブミラーまたは空間光変調器が、前記照明光路および／または前記検出光路に設けられていることを特徴とする請求項１乃至３のいずれか一項に記載の装置（１）。
【請求項６】
前記照明補正素子（２ＫＥ）および／または前記検出補正素子（３ＫＥ）は、その補正パワーに関して調整可能で適応的な構成を有することを特徴とする請求項１乃至３のいずれか一項に記載の装置（１）。
【請求項７】
適応照明補正素子（２ＫＥ）および／または適応検出補正素子（３ＫＥ）は、アルバレスマニピュレータ（１２）、空間光変調器、少なくとも１つのアダプティブミラー、少なくとも１つの傾斜レンズ、少なくとも１つのスライドレンズ、少なくとも１つの変形可能な光学レンズ、またはそれらの組み合わせであることを特徴とする請求項６に記載の装置（１）。
【請求項８】
適応照明補正素子（２ＫＥ）および／または適応検出補正素子（３ＫＥ）は、空間光変調器であり、前記検出ビーム経路には、発生する非点収差を部分的に補正するためのシリンドリカルレンズ（９）が設けられていることを特徴とする請求項６に記載の装置（１）。
【請求項９】
適応検出補正素子（３ＫＥ）はアダプティブミラーであり、前記照明ビーム経路および／または前記検出ビーム経路には、発生する非点収差を部分的に補正するためにシリンドリカルレンズ（９）が設けられていることを特徴とする請求項６に記載の装置（１）。
【請求項１０】
所定の厚さを有する所定の材料からなる少なくとも１つの層を有する分離層システムが、標本（５）が配置されている媒体（８）を前記照明対物レンズ（２）および前記検出対物レンズ（３）から分離し、前記標本面（４）に対して平行に配置された基部によって、前記分離層システムが、少なくとも前記照明対物レンズ（２）および前記検出対物レンズ（３）にそれぞれ照明および検出目的でアクセス可能な領域において液浸媒体（１８）と接触していることを特徴とする請求項１乃至９のいずれか一項に記載の装置（１）。
【請求項１１】
請求項１乃至１０のいずれか一項に記載の装置（１）を備える顕微鏡（０）。
【発明の詳細な説明】
【技術分野】
【０００１】
本発明は、独立請求項１の前提による顕微鏡検査のための装置に関する。
【背景技術】
【０００２】
光シート顕微鏡の主な用途の一つは、数百μｍから数ミリメータまでの大きさを有する中程度のサイズの標本、例えば生物の画像化にある。原則として、これらの標本はアガロースに包埋され、かつガラスキャピラリー内に配置されている。標本を検査するために、水で満たされた標本チャンバにガラスキャピラリーが注入される。標本を含むアガロースがキャピラリーからわずかに押し出され、光シートによって照明される。標本において励起され、かつ標本から放射される蛍光は、光シートに対して垂直であり、かつ光シートの光学ユニット（＝照明光学ユニット、照明対物レンズ）に対しても垂直である検出対物レンズによって検出器、特にカメラ上に結像される。
【０００３】
従来技術によれば、光シート顕微鏡検査用の顕微鏡０のレイアウト（ＳＰＩＭレイアウト；単一平面照明顕微鏡検査）は、第１の光軸Ａ１を有する照明対物レンズ２と、第２の光軸Ａ２を有する検出対物レンズ３（ＳＰＩＭ対物レンズとも呼ばれる）とを含む。照明対物レンズ２および検出対物レンズ３は、それぞれ、標本面４に対して４５°の角度α１またはα２で、互いに直角に、標本面４上に上方から指向されている（図１ａ参照）。基準面としても使用される標本面４内に設けられた標本領域に配置される標本５は、例えばペトリ皿として形成された標本ホルダ７の基部上に配置されている。標本ホルダ７は、媒体８、例えば水で充填され、２つのＳＰＩＭ対物レンズ２、３は光シート顕微鏡検査の適用中に媒体８に浸積される（図示せず）。標本面４は、デカルト座標系のＸ軸ＸおよびＹ軸Ｙに広がる平面ＸＹ内に延在する。第１の光軸Ａ１および第２の光軸Ａ２は、デカルト座標系のＹ軸ＹおよびＺ軸Ｚに広がる平面ＹＺ内に延伸される。
【０００４】
図１ｂは、照明対物レンズ２および検出対物レンズ３が標本面４の下方に配置されている従来技術による倒立配置の照明対物レンズ２および検出対物レンズ３を有する顕微鏡０を概略的に示す。この場合も、角度α１およびα２はそれぞれ４５°である。
【０００５】
このアプローチは、薄い光シート６（図１ａも参照）が照明対物レンズ２によって形成され得るので、軸方向における高解像度の利点を提供する。より高い分解能のために、より小さな標本５を検査することができる。さらに、厄介なバックグラウンド蛍光が著しく減少し、その結果として信号対ノイズ比が改善される。
【０００６】
例えばマルチウェルプレート等の標準標本容器におけるより簡単な標本準備を容易にするために、４５°の構成を維持するが、２つのＳＰＩＭ対物レンズ２、３を倒立配置で標本ホルダ７の透明な基部を介して下方から標本面４に向けることが可能である（図１ｂ）。この構成では、光軸Ａ１、Ａ２に対して傾斜し、かつカバーガラスの形で設けられる標本ホルダ７によって生じる収差を特別な光学素子を用いて補正する必要がある。標本面４に配置された標本５は標本ホルダ７の基部を介して照明され、標本５の励起蛍光が検出される。例えばマルチウェルプレート、ペトリ皿および／または対象物支持体などの標本ホルダ７を使用することが可能であり、特にハイスループットスクリーニングの場合には、標本５の汚染を回避することができる。
【０００７】
例えば、特許文献１で既知であるように、アルバレスマニピュレータ（Ａｌｖａｒｅｚ−Ｍａｎｉｐｕｌａｔｏｒｓ）１２のアルバレスプレート（図１ｂ；アルバレスプレートは簡略化された形で示されている）が照明対物レンズ２および／または検出対物レンズ３のビーム経路に配置される場合、さらなる技術的困難が生じる。アルバレスプレートは、正確には標本ホルダ７、例えば、カバーガラスと個々の対物レンズ２、３の光軸Ａ１、Ａ２との間の設定角度に起因して発生する収差を補正するように具体化されている。より低い結像品質をもたらす望ましくない収差は、角度のわずかな偏差（例えば、＜０．１）に起因して既に発生している。したがって、カバーガラスは、たとえば、角度偏差が許容範囲内に収まるように、実験開始前に調整する必要がある。さらに、対物レンズ２、３、または場合によっては設けられる追加のレンズとカバーガラスとの間の距離も、標本５または標本５の結像領域が検出対物レンズ３の結像面ＢＥに収まるように、角度とともに調整可能であると有用である。
【０００８】
特許文献２には、物体キャリアを通る光線の斜めの通過に起因して発生する誤差を修正するのに役立つ仮想のリレーが開示されている。仮想リレーは１．２を超える高い開口数を有しているので、光学系内での実験ごとに異なる可能性があるわずかな偏差の結果として、顕著な結像収差が発生する可能性がある。これらの偏差は、とりわけ、カバーガラスの厚さの変動、温度の変化、屈折率の差、カバーガラスの傾き、またはカバーガラスのウェッジエラー（ｗｅｄｇｅ  ｅｒｒｏｒ）に基づき得る。
【０００９】
これらの収差を補正するための多くの選択肢がある。したがって、特許文献３および特許文献４には、検出対物レンズ内のアルバレスマニピュレータの構成が記載されている。この目的のために、標本と検出対物レンズとの間に配置されるか、または対物レンズの前部レンズを代表する自由形状補正レンズが使用される。カバーガラスを介した照明および検出放射の斜め通過の収差を補正する顕微鏡対物レンズの説明がある。
【００１０】
特許文献５によれば、収差を補正するためのスライドレンズを対物レンズに設けることができる。特許文献６に同様に記載されているさらなる選択肢は、対物レンズの外側の周波数空間内（例えば、瞳内）にアダプティブミラーまたは空間光変調器（ＳＬＭ）を配置することである。
【００１１】
カバーガラスによって発生する顕微鏡の収差を補正するためのさらなる可能性は、非特許文献１から既知である。倒立ＳＰＩＭ顕微鏡はウォータープリズムを有し、それによってカバーガラスを介した検出光の斜めの通過の結果として発生する収差が部分的に補償される。
【先行技術文献】
【特許文献】
【００１２】
【特許文献１】米国特許第３３０５２９４号明細書
【特許文献２】独国特許出願公開第１０  ２０１３  １１２  ６００号明細書
【特許文献３】独国特許出願公開第１０  ２０１３  １１２  ５９５号明細書
【特許文献４】独国特許出願公開第１０  ２０１４  １０４  ９７７号明細書
【特許文献５】独国特許出願公開第１０  ２０１３  １０７  ２９７号明細書
【特許文献６】独国特許出願公開第１０  ２０１３  １７０  ２９７号明細書
【非特許文献】
【００１３】
【非特許文献１】マクゴーティ他（ＭｃＧｏｒｔｙ  ｅｔ  ａｌ．２０１５年、「従来型マウント標本用のオープントップ選択的平面照明顕微鏡」、オプティクスエキスプレス２３、１６１４２〜１６１５３頁（McGorty et al., 2015: Open-top selective plane illumination microscope for conventionally mounted specimens; OPTICS EXPRESS 23: 16142 - 16153)
【発明の概要】
【発明が解決しようとする課題】
【００１４】
本発明は、特に光屈折層を介した照明放射および検出放射の斜めの通過に生じる収差を補正するための、従来技術よりも改良された選択肢を提案するという目的に基づく。特に、その意図は、顕微鏡検査のための改良された装置、そして特に、この場合、光シート顕微鏡検査のための装置を提案することである。
【課題を解決するための手段】
【００１５】
この目的は、請求項１に記載の顕微鏡検査用の装置によって達成される。有利な構成および展開は従属請求項の主題である。
この目的は顕微鏡検査のための装置によって達成される。この装置は、標本領域における標本キャリア上に位置する標本を照明光路を介して照明するための照明対物レンズを有する照明光学ユニットを含み、照明対物レンズの光軸は基準面の法線とに対してゼロとは異なる角度（照明角度）を含む平面内にあり、基準面に関して標本キャリアは整列されている。照明対物レンズによる照明は、前述の平面内で実施される。さらに、検出光路内に検出対物レンズを有する検出光学ユニットが設けられる。検出対物レンズの光軸は、基準面の法線に対してゼロとは異なる角度（検出角度）を含む。検出対物レンズは、ビーム経路内に配置されるか、またはビーム経路内に導入可能である検出補正素子を含み、かつ／または照明対物レンズは、ビーム経路内に配置されるか、またはビーム経路内に導入可能な照明補正素子を含む。
【００１６】
本発明によれば、標本キャリアと２つの対物レンズとの間にメニスカスレンズが設けられ、前記メニスカスレンズは照明ビーム経路と検出ビーム経路の両方に配置されている。メニスカスレンズは、検出されるべき放射、特に光、および／または標本を照明するための放射が異なる屈折率を有する媒体を通過することによって生じる収差を補正するように構成される。照明補正素子または検出補正素子は、残りの収差を補正するように構成されている。基準面とも呼ばれる標本面では、標本は、そのために設けられた領域または標本領域に配置されるか、または標本面に配置することができる。
【００１７】
照明は、点状、線状、リング状または平面状に、あるいは照明領域全体に亘って自由に選択可能な形状で実施することができる。説明を簡単にする目的で、説明が照明補正素子および検出補正素子の両方に言及する場合、以下では、１つの補正素子または複数の補正素子またはその両方に対しても言及する。
【００１８】
残りの収差は、これらが照明放射および／または検出放射であるかにかかわらず、放射の斜めの通過による収差の不完全な補正から生じる（残留）結像収差であり得る。さらに、残りの収差は、例えば、カバーガラスの厚さの変動、温度変化、放射が通過する層の屈折率の差、カバーガラスの傾き、またはカバーガラスのウェッジ誤差により発生する誤差である。これらの残りの収差は、補正されるか、または少なくとも低減される。一例として、カバーガラスは、標本容器の基部またはガラスとは異なる材料で作成された対象物キャリアと同等とされるべきである。
【００１９】
装置は、所定の材料から所定の厚さで作成された少なくとも１つの層を有する分離層システムを有することができる。少なくとも１つの層、例えばカバーガラスは、標本が配置されている媒体を照明対物レンズおよび検出対物レンズから分離する。基準面に対して平行に位置合わせされた基部によって、分離層システムは、少なくともそれぞれ照明および検出の目的のための照明対物レンズおよび検出対物レンズにアクセス可能な領域において、媒体および／または液浸媒体と接触している。媒体および液浸媒体は、分離層システムによって互いに分離されている。
【００２０】
収差および残りの収差は、所定の範囲の照明角度または検出角度に関して、および／または所定の範囲の分離層システムの少なくとも１つの層の厚さに関して低減可能である。
メニスカスレンズは、同じ側に湾曲している２つのレンズ面を有するレンズである。有利には、両方のレンズ面は同じ中心点を有する。メニスカスレンズの２つのレンズ面は、それぞれの場合において異なる屈折率を有する、異なる媒体、例えば液浸媒体および／または空気中に配置することができる。先行技術から既知の仮想リレーと比較して、かつ同様に以前からすでに既知の自由形状補正レンズと比較して、メニスカスレンズは、自由曲面の複雑な製作は不要であるため、より簡単でより費用効果的な方法で製造できるという点で有利である。
【００２１】
メニスカスレンズは静止した状態で保持することができる。焦点合わせは、標本を標本キャリアと共に移動させることによって、または対物レンズをその光軸に沿って移動させることによって実施される。
【００２２】
メニスカスレンズを使用することにより、異なる屈折率を有する２つの媒体または層の間の照明放射および／または検出放射の進行中に発生する誤差が補正されるか、または補正可能である。対照的に、斜めの通過による収差は補正されない。これらの残りの収差は、照明補正素子および／または検出補正素子（補正素子）によって、対物レンズの外側および／または対物レンズ内で補正することができる。
【００２３】
光シート顕微鏡検査のための装置を実現するために、照明目的のために使用される放射は光シートに形成され、そして標本領域に向けられる。別の実施形態では、例えば平面内で移動される照明放射のビームによる照明放射によって、光シート（動的光シート）が標本領域内に生成される。ここで、照明対物レンズおよび光シートの光軸は、基準平面の法線に対してゼロとは異なる照明角度を含む平面内にある。
【００２４】
装置の一実施形態では、光学補正素子は、検出対物レンズおよび／または照明対物レンズの瞳内に配置される。簡単にするために、照明対物レンズおよび検出対物レンズは対物レンズとも呼ばれる。
【００２５】
瞳内、または瞳に可能な限り近接した光学補正素子の配置により、望ましくない視野依存効果が有利に回避される。瞳内では、補正素子は全ての視野点に対して同じ効果を有する。瞳と個々の光学補正素子との間の距離が増加するにつれて、より多くの視野依存性が効力を生じ、したがって、距離が増大するにつれて望ましくない視野依存性効果がより強く顕著になる。
【００２６】
本発明による装置の可能な実施形態では、瞳が、例えば検出対物レンズまたは照明対物レンズのチューブレンズの被写界深度内に位置する場合、光学補正素子は、瞳の近くに配置される。
【００２７】
光照度補正素子および光検出補正素子の両方は、静的補正素子または適応補正素子として構成することができる。
例として、静的補正素子は少なくとも１つの位相板または自由形状レンズである。自由曲面レンズは必ずしも瞳内に配置される必要はなく、例えば個々の対物レンズの前面レンズとすることができる。位相板などの静的補正素子は、収差の静的成分の補正をもたらす。
【００２８】
セットアップに関連する残りの収差および標本誘起の収差を補償するために、装置の照明および検出ビーム経路に適応補正素子を収容することが可能である。収差の動的成分または変動成分は、少なくとも１つの適応補正素子によって補正することができ、適応補正素子は、単一または複数の対物レンズの内部または外部に配置されている。その補正パワーに関して、適応補正素子は調整可能で適応的な構成を有する。その結果、収差、特に残りの収差の動的補正が有利に促進される。
【００２９】
静的補正素子および適応補正素子は、本発明による装置において組み合わせることができる。従って、静的補正素子は静的収差を補正するための位相板であり、適応補正素子は、装置の１つの可能な実施形態において照明ビーム経路および／または検出ビーム経路に配置される。
【００３０】
適応補正素子が各対物レンズに割り当てられる場合、または各対物レンズが適応補正素子を有する場合、一方の適応補正素子は個別の対物レンズ内に設けることができ、他方の適応補正素子は個別の対物レンズの外側に設けることができる。
【００３１】
便宜的には、適応補正素子は、適応補正素子の有効口径と、１つの可変適応補正素子または複数の可変適応補正素子のサイズとが、瞳面における瞳のサイズに良好に適合し、かつ収差を補償するために所望の波面変形を設定すること、および／または収差を補償するために必要な位相偏移を提供することが可能となるように装置の瞳面に配置される。例として、適応補正素子の適応可能性およびアクセス可能性は、照明または検出対物レンズの対物レンズ瞳を適応補正素子上に結像する瞳リレー光学ユニットによって得られる。十分に小さい適応補正素子を対物レンズ内に直接または対物レンズの直接下流に配置することもできる。
【００３２】
例として、アダプティブミラーまたは少なくとも１つの空間光変調器（ＳＬＭ）は適応補正素子である。ＳＬＭは、反射型ＳＬＭまたは透過型ＳＬＭとして構成することができる。
【００３３】
さらなる実施形態では、適応補正素子は、アルバレスマニピュレータ、少なくとも１つのアダプティブミラー、少なくとも１つの傾斜レンズ、少なくとも１つのスライドレンズ、少なくとも１つの変形可能な光学レンズ、またはそれらの組み合わせである。
【００３４】
装置のさらなる実施形態では、適応補正素子は空間光変調器であり、発生する収差を部分的に補償するためのシリンドリカルレンズは、対物レンズのうちの１つのビーム経路、特に検出ビーム経路内に設けられる。
【００３５】
さらに、適応補正素子をアダプティブミラーとし、発生する非点収差を部分的に補正するためのシリンドリカルレンズを一方の対物レンズのビーム経路内、特に検出ビーム経路内に設けることが可能である。
【００３６】
アダプティブミラーを有する実施形態では、対物レンズの瞳は、照明対物レンズであろうと検出対物レンズであろうと、テレスコープによってアダプティブミラー上に結像される。アダプティブミラーは、アダプティブミラーが発生する収差を補正し減少させるように変形される。検出ビーム経路内に配置されたさらなる光学レンズによって、カメラセンサ上に実質的にまたは完全に収差のない画像を生成することができる。
【００３７】
適応補正素子が反射型ＳＬＭによって実現される場合、対物レンズの瞳はテレスコープによってＳＬＭ上に結像される。位相パターンがＳＬＭ上に表示され、発生する収差が位相パターンの影響によって補正され低減される。この場合もやはり、検出ビーム経路内に配置されたさらなる光学レンズによって、実質的にまたは完全に収差のない画像をカメラセンサ上に生成することができる。
【００３８】
さらなる実施形態では、ＳＬＭはシリンドリカルレンズと組み合わされる。例として、シリンドリカルレンズは、発生する収差の部分的な補正を実行するために対物レンズの瞳内で使用される。対物レンズの瞳はテレスコープによって反射型ＳＬＭ上に結像される。位相パターンがＳＬＭ上に表示され、その位相パターンの光学効果によって残りの残留収差が補正され低減される。実質的にまたは完全に収差のない画像が、第３のレンズを介してカメラセンサ上に生成される。
【００３９】
適応補正素子は、照明ビーム経路および／または検出ビーム経路内に配置することができる。
さらに、収差も対物レンズ内で補正することができる。
【００４０】
この目的のために、例えば、追加の瞳が対物レンズ内に形成され、適応補正素子は発生する収差を補正するためにその瞳の位置に配置される。ここでも、収差の部分的な補正を実行するためにシリンドリカルレンズを使用することができる。
【００４１】
本発明による装置は、例えばカバーガラスまたはペトリ皿のベースのような光学的に透明な層の形態において、標本ホルダを介した照明および検出放射の斜めの通過を伴う倒立型光学顕微鏡に特に適している。
【図面の簡単な説明】
【００４２】
【図１】図１ａは、従来技術による光シート顕微鏡の装置を示す概略図であり、図１ｂは、従来技術による光シートと顕微鏡の倒立構成を示す概略図である。
【図２】本発明による光シート顕微鏡の装置の第１の例示的な実施形態を示す概略図である。
【図３】本発明による光シート顕微鏡の装置の第２の例示的な実施形態を示す概略図である。
【図４】本発明による光シート学顕微鏡の装置の第３の例示的な実施形態を示す概略図である。
【図５】本発明による光シート顕微鏡の装置の第４の例示的な実施形態を示す概略図である。
【図６】顕微鏡の本発明による装置のうちの１つで使用するための対物レンズの例示的実施形態を示す概略図。
【発明を実施するための形態】
【００４３】
本発明は、例示的な実施形態および図面に基づいて以下により詳細に説明される。
図１ａおよび図１ｂは、本説明の前提部分において既により詳細に説明されている。例示的な実施形態は概略的に示されている。同一の技術的構成要素には同一の参照符号が付されている。
【００４４】
共有メニスカスレンズ１０（図２）および照明対物レンズ２内の少なくとも１つの照明補正素子２ＫＥおよび／または検出対物レンズ３内の少なくとも１つの検出補正素子３ＫＥは、標本または基準面４に対して斜めに配置された照明対物レンズ２と、基準面４に対して同様に斜めに配置された検出対物レンズ３とに加えて、顕微鏡検査、特に光シート顕微鏡検査用の本発明による装置の必須素子として設けられている。
【００４５】
以下の例示的な実施形態は、倒立顕微鏡０に基づいて例示的に示されており、さらなる実施形態では、正立顕微鏡０としても具現化され得る。
補正素子２ＫＥ、３ＫＥおよびメニスカスレンズ１０を有する光シート顕微鏡検査（象徴的にのみ示されている）用に具現化された倒立顕微鏡０の装置１の例示的な実施形態が図２に示されている。基準面４に垂直な法線Ｂと第１の光軸Ａ１および第２の光軸Ａ２との間の角度α１およびα２は、それぞれ４５°である。いずれの場合も、アルバレスマニピュレータ１２の２つのアルバレスプレートが、適応補正素子２ＫＥ、３ＫＥとして、照明放射ＢＳのビーム経路および検出放射ＤＳのビーム経路に配置されている。補正素子２ＫＥ、３ＫＥは、照明放射ＢＳが標本ホルダ７の基部を介して斜めに通過することによって発生し得る収差を補正する役割を有する。メニスカスレンズ１０は、照明放射ＢＳの空気から液浸媒体１８への、そして媒体８への進行、および検出放射ＤＳの媒体８から液浸媒体１８への、そして空気への進行を補助する。
【００４６】
標本ホルダ７が標本ステージ１１上に保持されている。標本ステージ１１自体は、詳細には図示されていない駆動装置によって、Ｘ軸ＸおよびＹ軸Ｙに広がるＸＹ平面内で制御された方法で調整可能である。
【００４７】
照明対物レンズ２および検出対物レンズ３は、それぞれ第１の光軸Ａ１に沿っておよび第２の光軸Ａ２に沿って、それぞれこの場合ピエゾ駆動装置として具現化されている対物レンズ駆動装置１４によって、制御された方法で調整可能である。
【００４８】
照明放射ＢＳは、レーザーモジュール１５によって提供され、かつビーム整形ユニット１６によって整形される。ビーム整形ユニット１６は、例えば光学ユニットであり、そのビーム整形ユニット１６によって、供給される照明放射ＢＳが形成、例えばコリメートされる。
【００４９】
スキャナ１７はビーム整形ユニット１６の下流に設けられ、整形された照明放射ＢＳは前記スキャナ（ＸＹスキャナ）によって２つの方向に制御された方法で偏向可能である。
スキャナ１７の下流において、照明対物レンズ２は第１の光軸Ａ１上に配置されている。スキャナ１７によって偏向された照明放射ＢＳは照明対物レンズ２に到達し、照明放射ＢＳは照明対物レンズ２によって成形され、かつ／または集束される。光シート６は、スキャナ１７による照明放射ＢＳの適切な偏向によって、標本５が配置されている標本領域内で生成される。
【００５０】
標本５から及び標本領域から到来する検出放射ＤＳは、第２の光軸Ａ２に沿って検出器１９に向けられ、前記検出器によって捕捉することができる。
標本ステージ１１、対物レンズ駆動装置１４、補正素子２ＫＥ、３ＫＥ、レーザーモジュール１５、ビーム整形ユニット１６、スキャナ１７および／または検出器１９を作動させる目的で制御ユニット１３が設けられている。前記制御ユニット（示されているのみ）は、データ伝送に適した接続で作動されるべき構成要素にリンクされている。
【００５１】
さらなる実施形態では、制御ユニット１３はさらに、測定値を捕捉、保存および／または評価するように構成される。顕微鏡０のさらなる構成要素およびユニットは、制御ユニット１３によって作動可能であり得、かつ／または制御ユニット１３によって測定値が取得され評価され得る。
【００５２】
説明のために、互いに直交する軸を有する２つの座標系が以下で使用される。第１座標系は、Ｘ軸Ｘ、Ｙ軸ＹおよびＺ軸Ｚを有する全体の配置の座標系である。理想的には、標本ホルダ７、特にその基部は、Ｘ軸ＸおよびＹ軸Ｙによって広がるＸＹ平面と平行に位置合わせされる。第２の座標系は、Ｘ軸Ｘ、ｙ軸ｙ‘およびｚ軸ｚ‘を有する検出器１９の座標系である。例えば、結像面ＢＥから検出器１９上への像の画像化は、座標Ｘ及びｙ‘を有する。Ｘ軸Ｘは、両方の座標系において図面の図の平面に対して直交するように向けられている。他の２つの軸Ｙおよびｙ‘とＺおよびｚ‘はそれぞれ、Ｘ軸Ｘを中心とする回転によって互いに重ね合わせることができる。
【００５３】
照明放射ＢＳが標本ホルダ７を斜めに通過する間に発生する収差は、標本ホルダ７の厚さに依存する。このため、例えば補正素子２ＫＥ、３ＫＥは、補正素子１２を互いに対して変位させることによって収差補正を厚さに適合させるために、照明対物レンズ２および／または検出対物レンズ３内に変位可能に取り付けられている。
【００５４】
標本ホルダ７の基部は、標本５が配置されている媒体８を照明対物レンズ２および検出対物レンズ３から分離する、所定の厚さを有する所定の材料からなる少なくとも１つの層を有する分離層システムを代表する。標本面４と平行に整列された基部によって、分離層システムは、少なくとも照明および検出目的のために照明対物レンズ２および検出対物レンズ３にそれぞれアクセス可能な領域において、液浸媒体１８と接触している。
【００５５】
図３に示され、その基本設計に関して図２に示された例示的な実施形態に対応する装置１の第２の例示的な実施形態では、照明対物レンズ２は、照明補正素子２ＫＥとして再びアルバレスマニピュレータ１２を有する。検出放射ＤＳがＳＬＭまたはアダプティブミラーの形態の検出補正素子３ＫＥ上に向けられる光学レンズ２０が、検出放射ＤＳのビーム経路内に設けられている。検出補正素子３ＫＥによって反射された検出放射ＤＳは、検出器１９に向けられ、検出器１９によって捕捉される。
【００５６】
さらなる実施形態の選択肢では、ＳＬＭは透過型ＳＬＭとして具現化される。
図４は、装置１の第３の例示的な実施形態を示し、ここでは、発生する非点収差の部分的な補償のための役割を有するシリンドリカルレンズ９が、検出放射ＤＳのビーム経路において光学レンズ２０の上流に配置されている。検出補正素子３ＫＥは、ＳＬＭまたはアダプティブミラーの形態で実施される。
【００５７】
本発明による装置１のさらなる例示的な実施形態が図５に示されている。照明対物レンズ２は照明補正素子２ＫＥを有していない。２つの検出補正素子３ＫＥは、検出対物レンズ３に組み込まれており、かつ反射型ＳＬＭおよび／またはアダプティブミラーとして構成されている。
【００５８】
顕微鏡０の本発明による装置１（図２〜図５を参照）で使用するための対物レンズ２、３の例示的な実施形態を図６に概略的に示す。
例示的にのみ示されている光学レンズ２０に加えて、ＳＬＭとして具現化された作動可能な補正素子２ＫＥ／３ＫＥがビーム経路内に配置されている。作動は制御ユニット１３によって実施される。
【００５９】
装置１または対物レンズ２、３のさらなる実施形態では、残りの収差を補償または少なくとも低減するために、ビーム経路に対して半径方向に変位可能なスライドレンズを設けることができる。
【００６０】
説明の明確さを向上させるために、図６に示す装置１には１つの対物レンズ２、３のみが示されている。
【符号の説明】
【００６１】
０…顕微鏡、１…装置、２…照明対物レンズ、２ＫＥ…照明補正素子、３…検出対物レンズ、３ＫＥ…検出補正素子、４…標本面（＝基準面）、５…標本、６…光シート、７…標本ホルダ、８…媒体、９…シリンドリカルレンズ、１０…メニスカスレンズ、１１…標本ステージ、１２…アルバレスマニピュレータ、１３…制御ユニット、１４…対物レンズ駆動装置、１５…レーザーモジュール、１６…ビーム整形ユニット、１７…ＸＹスキャナ、１８…液浸媒体、１９…検出器、２０…光学レンズ、Ａ１…第１の光軸（照明対物レンズ２の光軸）、Ａ２…第２の光軸（検出対物レンズ３の光軸）、α１…角度／照明角度、α２…角度／検出角度、Ｂ…法線、ＢＥ…結像面、ＢＳ…照明放射、ＤＳ…検出放射。
【図１】
2019521385.tif 000003
【図２】
2019521385.tif 000004
【図３】
2019521385.tif 000005
【図４】
2019521385.tif 000006
【図５】
2019521385.tif 000007
【図６】
2019521385.tif 000008
【国際調査報告】
2019521385.tif 000009
2019521385.tif 000010
2019521385.tif 000011
2019521385.tif 000012
2019521385.tif 000013
2019521385.tif 000014